(57)【要約】      （修正有）【課題】逆連続濾過を達成する濾材逆洗の濾過装置を提供する。【解決手段】濾過装置と、洗浄装置とを備える。洗浄装置を濾過装置に結合し、浮遊濾材を、濾過装置の下流から洗浄装置に送入して、浮遊濾材を洗浄し、洗浄された浮遊濾材を、洗浄装置から濾過装置へ回送し、廃水濾過の循環を行う。【選択図】図１
0003175906.tif 000002
【実用新案登録請求の範囲】
【請求項１】
浮遊濾材を収容し、廃水を導き前記浮遊濾材に通過させる濾過装置と、前記濾過装置に結合され、前記濾過装置の下流から、前記浮遊濾材を洗浄装置に送入して前記浮遊濾材を洗浄する洗浄装置と、を備える濾材逆洗の濾過装置であって、洗浄された浮遊濾材を前記洗浄装置から濾過装置へ回送し、廃水濾過の循環を行うことを特徴とする濾材逆洗の濾過装置。
【請求項２】
濾過装置が下吐出口を有し、洗浄に必要な浮遊濾材を、前記下吐出口から順方向的に濾過装置に送入し、または洗浄された浮遊濾材を洗浄装置から下吐出口にて逆方向的に前記濾過槽ユニット内へ輸送することを特徴とする請求項１記載の濾材逆洗の濾過装置。
【請求項３】
濾過装置が、傾斜面または彎曲面を有することを特徴とする請求項１記載の濾材逆洗の濾過装置。
【請求項４】
前記浮遊濾材が、シート状複合濾材から選択されることを特徴とする請求項1記載の濾材逆洗の濾過装置。
【請求項５】
前記シート状複合濾材が、異なる融点の繊維材料からなることを特徴とする請求項4記載の濾材逆洗の濾過装置。
【考案の詳細な説明】
【技術分野】
【０００１】
本考案は濾材逆洗の濾過装置に関し、特に上向流式（upward-flow type）浮遊濾材（float filter material）逆洗の連続濾過（continuously filtering）装置に関する。
【背景技術】
【０００２】
浮遊物または乳状液の濾過装置の改良について、特許文献１に開示されている。濾過装置には、浮遊物または乳状液を入れるダクトが設けられ、そのダクトの下に分流管が設けられ、その分流管の下に錐形導流皿が設けられ、その錐形導流皿の上に濾床が設けられている。濾過装置の片側には、濾過水出口が設けられ、濾過装置の底部中央に洗浄ダクトが上向きに設けられ、前記洗浄ダクトは、その外側に保護管が設けられ、且つ洗浄ダクトに洗浄装置が設けられている。前記濾過装置の水入口部には、流量調整タンクが設けられている。水流の速度を抑制するため、その調整タンクの内部には流入室が設けられる。前記流入室の付近に水位室が設けられ、その内側に流量調整弁と水位計とが設けられることにより、水頭損失を避け、濾床詰りを防止し、かき回しまたは水頭損失があまりに小さい際に洗浄動作を停止させる。特許文献1には、濾床における一定品質の維持と洗浄効率の増加及び浄水損失の減少を達成する。
【０００３】
特許文献2には、濾過用砂粒を収容する本体と、本体内部の底側に位置する空気揚水ポンプと、本体の天側に位置する汚泥廃水進水管とを含む汚水処理の連続式自動逆洗砂濾過機が開示されている。前記汚泥廃水進水管から汚泥を本体内へ送入して濾過し、さらに前記空気揚水ポンプで砂粒を循環することにより、砂粒を連続して循環し、汚泥廃水を濾過する。
具体的には、特許文献1の濾過装置及び特許文献2の逆洗砂濾過機は、濾過槽内に逆洗の循環を直接行う。しかし、洗浄装置は、洗浄効率が悪い際に濾過品質の確保ができないため、濾過品質に対して影響を与える。したがって、従来の逆洗の連続濾過装置は、その逆洗方式を一層に改良する必要性がある。
【先行技術文献】
【特許文献】
【０００４】
【特許文献１】台湾特許第274739号
【特許文献２】台湾特許第334846号
【考案の概要】
【考案が解決しようとする課題】
【０００５】
本考案は、濾過装置を洗浄装置に結合し、前記濾過装置の下流から、浮遊濾材を洗浄装置に送入して洗浄を行い、さらに洗浄した浮遊濾材を濾過装置へ回送することにより、逆洗連続濾過を達成することを主な目的とする。
【課題を解決するための手段】
【０００６】
上記の目的を達成するため、本考案による濾材逆洗の濾過装置は、浮遊濾材を収容し、廃水を導き前記浮遊濾材に通過させる濾過装置と、前記濾過装置に結合され、前記濾過装置の下流から、前記浮遊濾材を洗浄装置に送入して前記浮遊濾材を洗浄する洗浄装置とを備える濾材逆洗の濾過装置であって、浮遊濾材を洗浄する際に濾過装置内に廃水の濾過を続けて行い、洗浄された浮遊濾材を前記洗浄装置から前記濾過装置へ回送し、廃水濾過の循環を行うことを特徴とする濾材逆洗の濾過装置。
【０００７】
濾材逆洗の濾過装置において、濾過装置が下吐出口を有し、洗浄に必要な浮遊濾材を前記下吐出口から順方向的に濾過装置に送入し、または洗浄された浮遊濾材を、洗浄装置から下吐出口にて逆方向的に前記濾過槽ユニット内へ輸送する。
【０００８】
濾材逆洗の濾過装置において、1個または複数個濾過槽ユニットを有する。
【０００９】
濾材逆洗の濾過装置において、前記浮遊濾材が、シート状複合濾材から選択する。
【００１０】
濾材逆洗の濾過装置において、前記シート状複合濾材が、異なる融点の繊維材料からなる。
【考案を実施するための最良の形態】
【００１１】
本考案における濾材逆洗の濾過装置は、特に、廃水浮遊物または浮遊固体の濾過に用いるものであり、様々な廃水濾過システムに用いることができる。
図1に示すように、第1実施例による濾材逆洗の濾過装置は、主に、濾過装置（上向流式濾過装置）1及び洗浄装置2を有し、適切なパイプラインで互いを接続して配置する。
【００１２】
前記濾過装置1は、一般的な濾過装置を選択することが可能であり、かつ浮遊濾材の収容される内部空間を有する1個または複数個濾過槽ユニット10を含み、浮遊濾材を所定の位置に制限する。廃水を案内して浮遊濾材を通過させて廃水の濾過を行う。この時、浮遊濾材内に濾過されて生じる浮遊固体とその汚泥を分離し、且つ、前記浮遊固体を浮遊濾材内に残す。
【００１３】
前記濾過槽ユニット10は、廃水入口11と濾過水出口12を有し、かつ廃水入口11は濾過浄水出口12に対応する。廃水入口11は、廃水を濾過槽ユニット10内に流し込んで浮遊濾材を通過させる。濾過水出口12は、濾過した廃水を濾過槽ユニット10から外部に排出する。
【００１４】
洗浄装置2を濾過装置1に組合せ、且つ、給水ユニットを適切に接続する。或いは、前記濾過水出口12を洗浄装置2に接続することが可能であり、濾過水を供給する（破線）。前記濾過装置1は、濾過機能を有する他、前記洗浄装置2を利用して輸送と循環を適切に行い、過槽ユニット10に貯留した浮遊濾材を逆洗し、更に、洗浄した浮遊濾材を濾過槽ユニット10へ回送できる。
【００１５】
前記濾過槽ユニット10は、濾材入口13と下吐出口14を有し、且つ、前記濾材入口13は下吐出口14に対応する。濾材入口13は、洗浄した浮遊濾材を洗浄装置2から濾過槽ユニット10内に輸送する。前記下吐出口14は、傾斜面141を有し、洗浄に必要な浮遊濾材を濾過槽ユニット10から下に流動し、順方向的に洗浄装置2に輸送する。同時に、洗浄した浮遊濾材を洗浄装置2から、下吐出口14より逆方向的に前記濾過槽ユニット10内に輸送する。また、前記排水口15は、濾過槽ユニット10の内部に連通する。
【００１６】
洗浄装置2は、洗浄槽20と洗浄機21とを有し、洗浄機21が洗浄槽20内に設けられることにより浮遊濾材を洗浄する。洗浄槽20は、濾材入口201と、濾材出口202と、洗浄水入口203と、汚泥排出口204と、濾過網205とを有する。
【００１７】
濾材入口201は、洗浄に必要な浮遊濾材を濾過槽ユニット10から洗浄槽20に輸送するものであり、濾材出口202は、洗浄した浮遊濾材を洗浄槽20から順方向的（右矢印）または逆方向的（左矢印）に濾過槽ユニット10内に輸送することにより、前記排廃水の循環濾過を行う。また、洗浄水入口203は、洗浄水を前記洗浄槽20内に輸送するためであり、汚泥排出口204は、洗浄水及び汚泥を洗浄槽20から前記濾過網205経由で外部に排出ものである。
【００１８】
濾過槽ユニット10は、浮遊濾材を輸送して洗浄を行う際に、廃水の濾過を停止する。洗浄した浮遊濾材を濾過槽ユニット10内へ回送した際に、濾過槽ユニット10は、廃水の濾過を再び開始することが可能である。浮遊濾材の洗浄を行う濾過槽ユニット10は、廃水の濾過を継続して行う。したがって、洗浄装置2は、浮遊濾材の洗浄を行う際に、一緒に前記濾過装置1内に廃水の濾過を継続して行い、前記濾過装置1は、廃水濾過の作業を停止する必要がない。
【００１９】
洗浄装置2と浮遊濾材貯留槽（図示せず）とを連続し、前記浮遊濾材貯留槽は濾過装置1と連続する。洗浄した浮遊濾材を洗浄装置2から前記浮遊濾材貯留槽に輸送することにより、洗浄した浮遊濾材を一旦貯留する。最後に、洗浄した浮遊濾材を浮遊濾材貯留槽から前記濾過装置1内へ回送する。
【００２０】
前記濾材逆洗の濾過装置は、複数濾過槽ユニット10及び洗浄装置2の動作を制御するためのプログラミング可能なシーケンス制御装置（Programmable logic controller，PLC）図示せず））を有する。
【００２１】
図2に示すように、浮遊濾材は異なる融点の繊維材料（網状）からなる複合濾材シートを選択し、このように融点が低い材料（交差状）と融点が高い材料（糸状）とを接着することにより、材料の隙間を維持し、かつ糸抜きの発生を避ける。濾過の際に、隙間が透水性を有する（矢印）。洗浄の際に汚染物による隙間の詰りを除去する。
【００２２】
図3に示すように、第1の実施例に対し、第2の実施例の濾過装置1は彎曲面142を有する3層濾過槽ユニット10を有し、且つ、第1の実施例による濾過槽ユニット10の下吐出口14及び排水口15を合わせて排水口15’とし、かつ排水口15’が洗浄槽20の濾材入口201に連続する。
【図面の簡単な説明】
【００２３】
【図１】第1の実施例による濾材逆洗の濾過装置の側面図である。
【図２】第1の実施例による濾材逆洗の濾過装置に採用する濾材シートの側面図である。
【図３】第2の実施例による濾材逆洗の濾過装置の側面図である。
【符号の説明】
【００２４】
1  濾過装置
10  濾過槽ユニット
11  廃水入口
12  濾過水出口
13  濾材入口
14  下吐出口
141  傾斜面
142  彎曲面
15  排水口
15’  排水口
2  洗浄装置
20  洗浄槽
201  濾材入口
202  濾材出口
203  洗浄水入口
204  汚泥排出口
205  濾過網
21  洗浄機
【図１】
0003175906.tif 000003
【図２】
0003175906.tif 000004
【図３】
0003175906.tif 000005